(57)【要約】【目的】Ｉ形主桁からの床板張り出し寸法の拡張化及び床板の重量化に対応できるようにした橋梁用支保工を提供する。【解決手段】Ｉ形の主桁１より張り出す床板型枠３の張り出し部３ａを支持する支保工であって、床板型枠張り出し部３ａの下側に配置される横腕材１０を有する橋梁用支保工において、横腕材１０を長さ調節可能に構成し、この横腕材１０の両端部側に、２つの斜材１２，１３の夫々一端部を接合すると共に、両斜材１２，１３の他端部同士を接合することによって、逆山形のトラス１５を形成し、横腕材１０の一端部を主桁１の上部に枢着し、逆山形トラス１５の頂部には、一端部を主桁１の下部に枢着した長さ調節可能な支持材１７の他端部を枢着している。【選択図】　　　　図１
2004060312.tif 000002
【特許請求の範囲】
【請求項１】
橋梁の床板をコンクリート打設する際に、Ｉ形の主桁より張り出す床板型枠の張り出し部を支持する支保工であって、当該床板型枠張り出し部の下側に配置される横腕材を有する橋梁用支保工において、
横腕材を長さ調節可能に構成し、この横腕材の両端部側に、少なくとも１つが長さ調節可能な２つの斜材の夫々一端部を接合し、両斜材の他端部同士を接合することによって逆山形のトラスを形成し、前記横腕材の一端部を主桁の上部に枢着し、前記逆山形トラスの頂部には、一端部を主桁の下部に枢着した長さ調節可能な支持材の他端部を枢着してなる橋梁用支保工。
【請求項２】
主桁の上フランジ上面に固着した取付金具より吊りボルトを垂下し、この吊りボルトを前記横腕材の一端部に設けた縦貫通孔に通して、吊りボルト下端部に螺合した受ナットを介して横腕材の一端部を支持するようにしてなる請求項１に記載の橋梁用支保工。
【請求項３】
前記横腕材の一端部を、引張金具を介して主桁のウェブ上端部に枢支連結してなる請求項２に記載の橋梁用支保工。
【請求項４】
主桁のウェブ上端部に受金具を上下方向取付位置調節可能にボルト止めし、この受金具に固定されたナットに螺合されて上下移動可能な受ボルトを備え、この受ボルトで前記横腕材の一端部下面側を支持すると共に、受金具に設けた縦長孔と横腕材の一端部に設けた横貫通孔とに挿通したボルトによって当該横腕材一端部の横方向移動を規制してなる請求項１に記載の橋梁用支保工。
【請求項５】
前記横腕材の一端部上面には、ボルト上端部を主桁の上フランジ下面に押し当てる当てボルトを突設してなる請求項２又は４に記載の橋梁用支保工。
【請求項６】
横腕材は、角筒状の外筒部材と、この外筒部材内に摺動可能に嵌挿されて外筒部材に対し伸縮する角筒状の内筒部材とからなり、所要長さ位置で両部材をピンで固定するようになっている請求項１〜５の何れかに記載の橋梁用支保工。
【請求項７】
横腕材の内筒部材にはその両側面に夫々凹溝条を全長に亘って形成してなる請求項１〜６の何れかに記載の橋梁用支保工。
【発明の詳細な説明】
【０００１】
【発明の属する技術分野】
本発明は、鉄骨橋梁の床板を現場でコンクリート打設する際に使用する橋梁用支保工に関するもので、特に、Ｉ形主桁より張り出す床板型枠の張り出し部を支持する支保工に関する。
【０００２】
【従来の技術】
近年、鉄骨橋梁の構造設計においては、Ｉ形主桁の断面を増大させ、主桁数を減らす傾向にあり、その結果主桁の間隔及び主桁よりの張り出し床板の張り出し寸法が大きくなり、また床板のコンクリート厚さも従来の橋梁に比べて厚くなっている。
【０００３】
図８は、従来より使用されている橋梁床板の支保工を示す。この図において、１はＩ形の主桁で、左右両側に配設されて、橋梁床板２の型枠３を全体的に支持するようになっている。４は、両主桁１，１間の床板打設用水平支保梁で、主桁１，１の夫々内側に設置されたパイプサポート５，５の上端部間に架け渡されている。６は、主桁１より張り出している床板型枠３の張り出し部３ａの下側に配置された横腕材で、この横腕材６の一端部は、Ｉ形主桁１の上フランジ１ｂの先端部に取り付けられ、横腕材６の他端部側は、下端部が主桁１のウェブ１ａ下端部と下フランジ１ｃとの隅部に枢着されたサポート７により支持され、このサポート７は、主桁１のウェブ１ａ上端部に取り付けられたチェーン８によって支持されている。
【０００４】
【発明が解決しようとする課題】
この従来の橋梁床板用支保工では、上述したようにコンクリート厚さが厚く、張り出し床板の張り出し寸法が大きい床板をコンクリート打設する場合に、寸法的に対応できない状況が発生し、また寸法的に対応できたとしても、強度不足のために架設間隔を狭めなければならず、それによって大量の機材が必要となり、施工費の高騰を来すことになる。
【０００５】
本発明は、上記の課題に鑑み、Ｉ形主桁からの床板張り出し寸法の拡大化及び床板の重量化に対応できるようにした橋梁用支保工を提供することを目的とする。
【０００６】
【課題を解決するための手段】
請求項１に係る発明は、橋梁の床板をコンクリート打設する際に、Ｉ形の主桁１より張り出す床板型枠３の張り出し部３ａを支持する支保工であって、当該床板型枠張り出し部３ａの下側に配置される横腕材１０を有する橋梁用支保工において、横腕材１０を長さ調節可能に構成し、この横腕材１０の両端部側に、少なくとも１つが長さ調節可能な２つの斜材１２，１３の夫々一端部を接合し、両斜材１２，１３の他端部同士を接合することによって逆山形のトラス１５を形成し、前記横腕材１０の一端部を主桁１の上部に枢着し、前記逆山形トラス１５の頂部には、一端部を主桁１の下部に枢着した長さ調節可能な支持材１７の他端部を枢着してなることを特徴とする。
【０００７】
請求項２は、請求項１に記載の橋梁用支保工において、主桁１の上フランジ１ｂ上面に固着した取付金具３５より吊りボルト３６を垂下し、この吊りボルト３６を前記横腕材１０の一端部に設けた縦貫通孔に通して、吊りボルト３６下端部に螺合した受ナット３７を介して横腕材１０の一端部を支持するようにしてなることを特徴とする。
【０００８】
請求項３は、請求項２に記載の橋梁用支保工において、前記横腕材１０の一端部を、引張金具３８を介して主桁１のウェブ１ａ上端部に枢支連結してなることを特徴とする。
【０００９】
請求項４は、請求項１に記載の橋梁用支保工において、主桁１のウェブ１ａ上端部に受金具２１を上下方向取付位置調節可能にボルト２６止めし、この受金具２１に固定されたナット２３に螺合されて上下移動可能な受ボルト２４を備え、この受ボルト２４で前記横腕材１０の一端部下面側を支持すると共に、受金具２１に設けた縦長孔２５と横腕材１０の一端部に設けた横貫通孔とに挿通したボルト２６によって当該横腕材１０一端部の横方向移動を規制してなることを特徴とする。
【００１０】
請求項５は、請求項２又は４に記載の橋梁用支保工において、前記横腕材１０の一端部上面には、ボルト上端部を主桁１の上フランジ１ｂ下面に押し当てる当てボルト３３を突設してなることを特徴とする。
【００１１】
請求項６は、請求項１〜５の何れかに記載の橋梁用支保工において、横腕材１０は、角筒状の外筒部材１０ａと、この外筒部材１０ａ内に摺動可能に嵌挿されて外筒部材１０ａに対し伸縮する角筒状の内筒部材１０ｂとからなり、所要長さ位置で両部材をピン１１で固定するようになっていることを特徴とする。
【００１２】
請求項７は、請求項１〜６の何れかに記載の橋梁用支保工において、横腕材１０の内筒部材１０ｂにはその両側面に夫々凹溝条２０，２０を全長に亘って形成してなることを特徴とする。
【００１３】
【発明の実施の形態】
図１は本発明に係る支保工の全体を示す側面図、図２は同支保工の一部拡大図である。これらの図において、１０は、Ｉ形の主桁１より張り出した床板型枠３の張り出し部３ａの下側に配置される横腕材で、角筒状の外筒部材１０ａと、この外筒部材１０ａ内に摺動可能に嵌挿されて、外筒部材１０ａに対し伸縮する内筒部材１０ｂとからなり、所要長さ位置で両部材１０ａ，１０ｂの重合部にピン１１（図３の（Ａ）参照）を挿着することにより、両部材１０ａ，１０ｂを固定し、施工条件に適した長さに調節することができる。尚、図１において、９は、横腕材１０上に一定間隔おきに配置されて床板型枠３の張り出し部３ａを直接支持する根太である。
【００１４】
横腕材１０の両端部側、即ち外筒部材１０ａの外端部側と内筒部材１０ｂの外端部側とに、固定長さの斜材１２及び長さ調節可能な斜材１３の夫々の一端部がピン接合されると共に、両斜材１２，１３の夫々の他端部同士がブラケット１４にピン接合されることによって、図１に示すような逆山形のトラス１５が形成される。この逆山形トラス１５は、外筒部材１０ａの内端部とブラケット１４とをつなぐ補強杆１６によって補強されている。
【００１５】
横腕材１０の一端部である外筒部材１０ａの外端部は、主桁１のウェブ１ａの上端部に枢着され、そして横腕材１０と両斜材１２，１３とで構成される逆山形トラス１５の頂部にあるブラケット１４には、一端部を主桁１のウェブ１ａと下フランジ１ｃとのコーナー部に枢着した長さ調節可能な支持材１７の他端部が枢着され、この支持材１７によって、トラス１５を含む横腕材１０全体が支持されている。
【００１６】
上記支保工の構造について更に詳しく説明すると、横腕材１０の外筒部材１０ａは、アルミニウム合金の押し出し型材からなるもので、図３の（Ａ）に示すような縦長矩形状の断面を有し、両側面に全長に亘って凹条部１８，１８を形成すると共に、下端面の両側端部に突条片１９，１９を全長に亘って形成している。内筒部材１０ｂも、アルミニウム合金の押し出し型材からなるもので、図３の（Ｂ）に示すような縦長矩形の断面を有し、両側面の夫々上部側に凹条溝２０，２０を全長に亘って形成しており、同図（Ａ）の仮想線図示のような状態で外筒部材１０ａ内に嵌挿されるようになっている。また、図１及び図６に示すように、外筒部材１０ａの内端部側にはピン孔ｍが短いピッチでで複数設けられ、内筒部材１０ｂには同様なピン孔ｎが長いピッチで複数設けられていて、外筒部材１０ａのピン孔ｍから内筒部材１０ｂのピン孔ｎにピン１１を挿し込むことにより、両部材１０ａ，１０ｂを固定するようになっている。
【００１７】
図２は、横腕材１０の一端部である外筒部材１０ａの外端部を主桁１の上部に枢着する枢着構造の一実施形態を示している。この枢着構造は、受金具方式からなるもので、主桁１のウェブ１ａの上端部に受金具２１を上下方向取付位置調節可能にボルト２２及びナット２７で固定し、この受金具２１に固定されたナット２３に螺合されて上下に移動可能な受ボルト２４で外筒部材１０ａの外端部下面側を支持すると共に、受金具２１に設けた縦長孔２５と外筒部材１０ａの一端部に設けた横貫通孔（図示省略）とに挿通したボルト２６及びナット２８によって当該外筒部材１０ａ一端部の横方向移動を規制するようにしている。
【００１８】
受金具２１は、図４にも示すように、取付基板２１ａの前面下部に台板２１ｂを突設すると共に、この台板２１ｂより上方の左右両側に側板２１ｃ，２１ｃを突設してなるもので、取付基板２１ａにはボルト挿通孔２９を上下に間隔をおいて複数設け、台板２１ｂ上にナット２３を溶接により固着し、左右各側板２１ｃに縦長孔２５を設けている。また、主桁１のウェブ１ａ上端部にはボルト２２を挿通させるボルト挿通孔３０が設けられる。
【００１９】
上記受金具２１の取付にあたっては、取付基板２１ａの所要のボルト挿通孔２９から主桁１のウェブ１ａ上端部のボルト挿通孔３０にボルト２２を通してナット２７で締め付けることにより、この受金具２１を主桁１のウェブ１ａ上端所要位置に取り付け固定する。こうして取り付けた受金具２１の左右両側板２１ｃ，２１ｃ間に横腕材１０の外筒部材１０ａの外端部を挿入し、図４の仮想線図示のように、側板２１ｃの縦長孔２５から外筒部材１０ａのボルト挿通孔にボルト２６を挿通してナット２８で抜け止めし、台板２１ｂ上に固定されたナット２３に、その下方より受ボルト２４を螺入して、この受ボルト２４の先端部で外筒部材１０ａの外端部下面を支持する。この状態で受ボルト２４を回転させることによって、外筒部材１０ａの外端部の垂直方向の高さを調整することができる。
【００２０】
図２に示すように、受金具２１の取付時に主桁１のウェブ１ａと接触する取付基板２１ａの背面には、主桁１の塗装面を保護する目的で、ネオプレンゴム等のシート材３１が貼着されている。また、受ボルト２４の上端部が当たる外筒部材１０ａの外端部下面には当て板３２が取り付けてある。
【００２１】
また図２から分かるように、外筒部材１０ａの外端部上面（横腕材１０の一端部上面）には、主桁１の上フランジ１ｂ下面に押し当てる当てボルト３３が突設されている。この当てボルト３３は、支保工全体の微調整が完了した段階で、当該当てボルト３３の上端部を主桁１の上フランジ１ｂ下面に押し当てることによって、支保工の全体形態を安定した状態に保持できるようにするためのものである。この当てボルト３３の上端部には、上フランジ１ｂの下面に吸着するような形状の吸着カップ３４が取り付けてある。
【００２２】
図５は、外筒部材１０ａの外端部を主桁１の上部に枢着する枢着構造の他の実施形態を示している。この枢着構造は、吊りボルト方式からなるもので、主桁１の上フランジ１ｂ上面に溶接によって固着した取付金具３５より吊りボルト３６を垂下し、この吊りボルト３６を外筒部材１０ａの外端部に設けた縦貫通孔（図示省略）に貫通させて、この吊りボルト３６の下端部に螺合した受ナット３７を介して外筒部材１０ａの外端部を支持するようにしている。
【００２３】
この吊りボルト方式の場合、吊りボルト３６には水平力が作用することから、外筒部材１０ａの外端部を、引張金具３８を介して主桁１のウェブ１ａ上端部に枢支連結し、吊りボルト３６にかかる水平力に対処できるようにしている。この引張金具３８の一端部は外筒部材１０ａにボルト止めされ、その他端部は主桁１のウェブ１ａと上フランジ１ｂとのコーナー部に固着された取付板３９にボルト止めされている。また、外筒部材１０ａの一端部上面には、図２に示される受金具方式の場合と同様、主桁１の上フランジ１ｂ下面に押し当てる当てボルト３３が突設されている。
【００２４】
前記逆山形トラス１５を構成する一方の斜材（固定長さ）１２の一端部は、外筒部材１０ａの突条片１９，１９間に挿入されてボルト止めされ、その他端部は、ブラケット１４にボルト止めされている。長さ調節可能な他方の斜材１３は、主管１３ａと、これに摺動可能に嵌挿され、所要長さ位置でピン（図示省略）によって固定される副管１３ｂとからなるもので、主管１３ａの外端部は、横腕材１０の内筒部材１０ｂに取り付けてあるブラケット４０にボルトで接合され、副管１３ｂの外端部は逆山形トラス１５の頂部であるブラケット１４にボルトで接合されている。
【００２５】
トラス１５を含む横腕材１０の全体を支持する長さ調節可能な支持材１７は、主管１７ａと、これに摺動可能に嵌挿され、所要長さ位置でピン（図示省略）によって固定される副管１７ｂと、主管１７ａの上端部に連設されたねじジャッキ１７ｃと、からなるもので、主管１７ａの外端部は、ねじジャッキ１７ｃを介して、トラス１５の頂部であるブラケット１４にボルトで接合され、副管１３ｂの外端部は、主桁１の下フランジ１ｃとウェブ１ａとのコーナー部に取り付けられたブラケット４１にボルトで接合されている。このブラケット４１が主桁１の下フランジ１ｃ及びウェブ１ａと接触する面には、主桁１の塗装面を保護するためにネオプレンゴム等のシート材（図示省略）が貼着されている。
【００２６】
この支持材１７の使用においては、主管１７ａと副管１７ｂとにあるピン孔（図示せず）にピンを貫通させることによって概略の長さを確保し、主管１７ａの上端部にあるねじジャッキ１７ｃを操作することにより、横腕材１０が床板型枠張り出し部３ａの下面勾配に沿うようにトラス１５の角度を微調整することができる。
【００２７】
図１に示すように、横腕材１０の構成する内筒部材１０ｂの先端部には安全手摺り４２が取り付けられる。また、図６及び図７に示すように、横腕材１０の内筒部材１０ｂには、内筒部材１０ｂの凹溝条２０，２０を利用して、コンクリート型枠の滑動防止金具４３や段差補正金具４４を装着することができる。
【００２８】
即ち、滑動防止金具４３は、内筒部材１０ｂの凹溝条２０，２０に係合可能な係合片４５，４５を有する金具本体４６にストッパー４７を取り付けたもので、橋梁床板をコンクリート打設する型枠３の張り出し部３ａ先端側に配置される。また、段差補正金具４４は、根太９を横腕材１０上に同一平面上に配設できるように横腕材１０の外筒部材１０ａと内筒部材１０ｂの上面の段差を補正するもので、内筒部材１０ｂの凹溝条２０，２０に係合可能な係合片４８，４８を備えている。
【００２９】
以上説明したように、本発明の支保工は、床板型枠３の張り出し部３ａを支持する横腕材１０を外筒部材１０ａと内筒部材１０ｂとによって長さ調節可能に構成し、この外筒部材１０ａと内筒部材１０ｂとに、固定長さの斜材１２及び長さ調節可能な斜材１３の夫々の一端部を接合し、両斜材１２，１３の他端部同士を接合することによって逆山形トラス１５を形成しているから、床板型枠張り出し部３ａの張り出し寸法が拡大した時には、横腕材１０及び斜材１３を夫々適宜に伸張させることによって、その張り出し寸法の拡大に対し容易に対応することができる。また、このように逆三角形に構成されるトラス１５の横腕材１０の一端部を主桁１の上部に枢着すると共に、逆山形トラス１５の頂部に、一端部を主桁１の下部に枢着した長さ調節可能な支持材１７の他端部を枢着していることによって、張り出し寸法の拡大に伴う負担荷重の増大にも十分対応可能な強度を有する支保工となる。
【００３０】
この場合、横腕材１０を、角筒状の外筒部材１０ａとこれに嵌合する角筒状の内筒部材１０ｂとの２つの部材によって長さ調整可能に構成すると共に、外筒部材１０ａの外端部を主桁１の上部に枢着していることにより、横腕材１０の構造が簡単でコンパクトとなり、取扱いに便利で、強度的にも安定した構造にすることができる。
【００３１】
また、横腕材１０の一端部である外筒部材１０ａの外端部を主桁１の上部に枢着する枢着構造としては、図２に示すような受金具方式と、図５に示すような吊りボルト方式が用意されているが、受金具方式によれば、構造が多少複雑になるが、外筒部材１０ａの外端部をガタつかせることなく、所要角度位置に的確に枢着することができ、また吊りボルト方式によれば、構造が簡単となって、取付作業が容易となる。
【００３２】
また、横腕材１０を構成する外筒部材１０ａの外端部上面には当てボルト３３が突設されているから、支保工全体の微調整が完了した段階でこのボルト３３の上端部を、図２及び図５に示すように主桁１の上フランジ１ｂ下面に押し当てることにより、支保工全体の形態を安定した状態に保持することができる。
【００３３】
この実施形態では、逆三角形トラス１５を、長さ調節可能な横腕材１０と、固定長さの斜材１２及び長さ調節可能な斜材１３の２つの斜材１２，１３とによって構成しているが、２つの斜材１２，１３を共に長さ調節可能に構成してもよく、そうすることによりトラス１５の三角形の３辺を何れも伸張させることができて、逆三角形トラス１５を相似状に安定良く拡大させることができる。
【００３４】
【発明の効果】
請求項１に係る発明の支保工によれば、横腕材を長さ調節可能に構成しているから、床板型枠張り出し部の張り出し寸法が大きくなっても、横腕材を伸張させることによって、その張り出し寸法の拡大に対し容易に対応することができる。また、この長さ調節可能な横腕材の両端部側に、その１つが長さ調節可能な２つの斜材の夫々一端部を接合し、両斜材の他端部同士を接合して逆山形のトラスを形成し、そして横腕材の一端部を主桁上部に枢着し、逆山形トラスの頂部には一端部を主桁下部に枢着した長さ調節可能な支持材の他端部を枢着しているから、張り出し寸法の拡大に伴う負担荷重の増大にも十分対応可能な強度を有する支保工となる。
【００３５】
請求項２に記載のように、主桁の上フランジ上面に固着した取付金具より吊りボルトを垂下し、この吊りボルトを横腕材の一端部に設けた縦貫通孔に通して、吊りボルト下端部に螺合した受ナットを介して横腕材の一端部を支持する吊りボルト方式を採用すれば、主桁の上部に対する横腕材一端部の枢着構造が簡単となり、その取付作業が容易となる。
【００３６】
請求項３に記載のように、横腕材の一端部を、引張金具を介して主桁のウェブ上端部に枢支連結することにより、吊りボルトに作用する水平力に十分対処することができる。
【００３７】
請求項４に記載のように、主桁の上部に対する横腕材一端部の枢着構造として受金具方式を採用すれば、横腕材の端部をガタつかせることなく、所要角度位置に的確に枢着することができる。
【００３８】
請求項５に記載のように、横腕材の一端部上面に当てボルトを突設することにより、支保工全体の微調整が完了した段階で、このボルトの上端部を主桁の上フランジ下面に押し当てることにより、支保工全体の形態を安定した状態に保持することができる。
【００３９】
請求項６に記載のように、横腕材を、角筒状の外筒部材と、この外筒部材内に摺動可能に嵌挿されて外筒部材に対し伸縮する内筒部材とから構成し、所要長さ位置で両部材をピンで固定できるようにすれば、横腕材を簡単且つコンパクトで強度的に安定した構造とすることができる。
【００４０】
請求項７に記載のように、上記内筒部材の両側面に夫々凹溝条を全長に亘って形成しておくことにより、この凹溝条を利用して、コンクリート型枠の滑動防止金具や、外筒部材と内筒部材との段差を補正するための金具等を装着することができる。
【図面の簡単な説明】
【図１】本発明に係る支保工の全体を示す側面図である。
【図２】同支保工の一部拡大側面図で、外筒部材の外端部を主桁上部に枢着する受金具方式の枢着構造を示す。
【図３】（Ａ）は横腕材を構成する外筒部材の横断面図、（Ｂ）は内筒部材の横断面図である。
【図４】図２に示す受金具の拡大正面図である。
【図５】外筒部材の外端部を主桁上部に枢着する吊りボルト方式の枢着構造を示す図２と同様な側面図である。
【図６】横腕材の内筒部材に形成された凹溝条を利用して、コンクリート型枠の滑動防止金具、及び外筒部材と内筒部材との段差を補正するための金具を装着した状態を示す説明図である。
【図７】（Ａ）は内筒部材に段差補正金具を装着した状態の拡大断面図、（Ｂ）は内筒部材に型枠滑動防止金具を装着した状態の拡大断面図である。
【図８】従来の橋梁床板用支保工を示す概略側面図である。
【符号の説明】
１　　　　　Ｉ形主桁
１ａ　　　　主桁のウェブ
１ｂ　　　　主桁の上フランジ
１ｃ　　　　主桁の下フランジ
２　　　　　コンクリート床板
３　　　　　床板型枠
３ａ　　　　床板型枠の張り出し部
１０　　　　本発明に係る支保工の横腕材
１０ａ　　　外筒部材
１０ｂ　　　内筒部材
１２　　　　固定長さの斜材
１３　　　　長さ調節可能な斜材
１５　　　　逆山形トラス
１７　　　　長さ調節可能な支持材
２０　　　　内筒部材の凹溝条
２１　　　　受金具
２３　　　　固定ナット
２４　　　　受ボルト
３３　　　　当てボルト
３６　　　　吊りボルト
【図１】
2004060312.tif 000003
【図２】
2004060312.tif 000004
【図３】
2004060312.tif 000005
【図４】
2004060312.tif 000006
【図５】
2004060312.tif 000007
【図６】
2004060312.tif 000008
【図７】
2004060312.tif 000009
【図８】
2004060312.tif 000010